(57)【要約】【課題】注湯した熱湯や湯気の熱源を持ち指部から遠去け、持ち運んだり湯切り操作を行う際に、持ち指部に伝熱し難くした蓋部を得る。【解決手段】容器１上に嵌合する蓋部２の中央部には頂部を平坦とした屋根部２ｃが設けられ、この屋根部２ｃには傾斜部２ｄ、２ｅが設けられている。この傾斜部２ｅの近傍の周辺部２ａは、容器１を持つ場合の持ち指部２ｆとされ、比較的広い面積を有している。傾斜部２ｄ、２ｅには上下方向に筋状に多数本の凹凸部２ｇが形成されている。容器１内に熱湯を注入すると、湯気が発生し、湯気は屋根部２ｃ内の空間で対流を起こし、傾斜部２ｄ、２ｅの凹凸部２ｇに助長されて上昇する。湯気による熱は熱伝導により周辺部２ａの持ち指部２ｆにも伝熱するが、殆どは屋根部２ｃ内を上昇するので、周辺部２ａへの伝熱は緩和され持ち指部２ｆに添えた指が極端な熱さを感ずることがない。【選択図】図１
2007230588.tif 000002
【特許請求の範囲】
【請求項１】
即席食品の容器の周縁部に嵌合する周辺部と、該周辺部を裾部とした伏椀状の屋根部とから成り、該屋根部の側壁の傾斜面に上下方向に沿って多数本の筋状の凹凸部とを有することを特徴とする即席食品容器の蓋部。
【請求項２】
前記周辺部に平坦で広い面積の持ち指部を有することを特徴とする請求項１に記載の即席食品容器の蓋部。
【請求項３】
前記周辺部の前記持ち指部から離れた位置に、前記容器内に注湯した湯を排湯するための排湯孔を有することを特徴とする請求項２に記載の即席食品容器の蓋部。
【発明の詳細な説明】
【技術分野】
【０００１】
本発明は、持ち運び等の操作を容易とする即席食品容器の蓋部に関するものである。
【背景技術】
【０００２】
従来の即席食品容器に蓋をする場合に、紙と合成樹脂の複合シート或いは合成樹脂単層或いは多層の複合シートをヒートシールする方法か、合成樹脂等で成形した蓋部を嵌合する方法が用いられている。
【０００３】
シート状の蓋部の場合に、注湯するために一部を開封し、注湯後に再封する場合が殆どである。この再封の方法としては、タブなどを容器側壁に折り曲げて仮止めしたり、付属のシールを貼り付けることで仮止めしている。しかし、このシート状の蓋部は容器の間に隙間が多くあり、注湯後に持ち運ぶ場合には熱湯のこぼれや湯気の漏れが生じ易い。
【０００４】
また、容器と嵌合する蓋部においては、熱湯から発する湯気の熱が伝導などにより伝熱し、嵌合部が非常に熱くなり、この嵌合部を持って持ち運びや排湯がし難い場合がある。
【０００５】
即席食品容器の蓋部において、蓋の嵌合部に指押さえ部を設ける方法が、例えば特許文献１〜５に開示されている。
【０００６】
【特許文献１】実開昭５１−５４００６号公報
【特許文献２】実開平２−１５８１９号公報
【特許文献３】実開平２−８７７１５号公報
【特許文献４】実開平２−８７７８３号公報
【特許文献５】特開平１０−４５１７８号公報
【０００７】
特許文献１は蓋に設けられた持ち指部分が平坦になっており、指に触れる接触面積が大きく熱さ防止にはなっていない。また、内部の熱湯から発せられる湯気が排出される仕組みを有し、その湯気の熱が絶えず持ち指部に供給されるため指が熱くなることがある。更に、湯気の排出口に指の腹が当たるため、漏れ出た湯気が直接指に触れる可能性がある。
【０００８】
また、特許文献２は指と蓋との接触面積を減少することを目的として、嵌合蓋の周辺部の持ち指部に凸状の小突起群を設けている。しかし、この考案でも湯気の熱が直接或いは熱伝導により持ち指部に伝わり、断熱効果が不十分である。
【０００９】
特許文献３、４は線状突起或いは点状突起が指と蓋との接触面積を減らすことを目的として、嵌合蓋の周辺部の持ち指部に凸状の小突起群を設けている。しかし、この考案も持ち指部が熱くなり断熱効果は不十分である。
【００１０】
特許文献５は嵌合蓋の周辺部に設けた持ち指部に筋状などの突起が部分を設け、そこから外気に連通して接することにより、湯気の熱を外に逃がし、持ち指部の断熱効果を上げている。しかし、嵌合部における容器と蓋部との密着性が悪くなり、更に外気を導入するための空気通路から湯気が逆流して外に漏れ出る可能性がある。
【発明の開示】
【発明が解決しようとする課題】
【００１１】
容器に熱湯を注いだ場合の熱源は、熱湯そのものと湯気によるものである。持ち指が極度に熱く感ずるのは、その熱源が容器と蓋の中から漏れ出して直接指に触れる場合と、熱伝導により指と容器や蓋部の接触面から伝わる場合に分けられる。上述の従来技術は後者の接触面積の熱伝導を抑えることに、注意が多く当てられている。
【００１２】
実際に、合成樹脂材による容器と蓋部の嵌合において、完全に密封することは困難である。これは合成樹脂の性質が熱や重量により撓んだり変形するためである。特許文献１、５のような外気との流れ道を設けることは、熱湯や湯気がこの流れ道を通り外気に漏れ出す虞れがあり、安全性を高めることから外れている。
【００１３】
本発明の目的は、上述の問題点を解消し、注湯した熱湯や湯気の熱源を持ち指部から遠去け、持ち運んだり湯切り操作を行う際に、持ち指部に伝熱し難くした即席食品容器の蓋部を提供することにある。
【課題を解決するための手段】
【００１４】
上記目的を達成するための本発明に係る即席食品容器の蓋部の技術的特徴は、即席食品の容器の周縁部に嵌合する周辺部と、該周辺部を裾部とした伏椀状の屋根部とから成り、該屋根部の側壁の傾斜面に上下方向に沿って多数本の筋状の凹凸部とを有することにある。
【発明の効果】
【００１５】
本発明に係る即席食品容器の蓋部によれば、伏椀状の屋根形状を有し、その側壁に沿って湯気を対流させ、発生した湯気を屋根の内部に留めるための空間体積を確保し、持ち指部に湯気がこもらない形状にすることで、周辺の持ち指部への伝熱を少なくする。
【発明を実施するための最良の形態】
【００１６】
本発明を図示の実施例に基づいて詳細に説明する。
【実施例１】
【００１７】
図１は容器１に嵌合した蓋部２の斜視図である。容器１上に嵌合する蓋部２は、ポリスチレン系又はポリプロピレン系樹脂等の合成樹脂材が加熱成形、射出成形等の適宜な方法により成形されている。蓋部２には、容器１の周縁部１ａに嵌合係止するために、周縁部１ａの上辺と接触すると共に、その周囲を覆うように形成された周辺部２ａが設けられ、所々の個所に係止部２ｂが設けられ、蓋部２は容器１に嵌合係止されている。
【００１８】
蓋部２の中央部には、周辺部２ａを裾部として周辺部２ａから立ち上る伏椀状で、頂部を平坦とした屋根部２ｃが設けられ、この屋根部２ｃは概略四角状で周囲に４つの大きな傾斜部２ｄが設けられ、更に対向する２つの隅部には、それぞれ別個に小さな傾斜部２ｅが設けられている。この傾斜部２ｅの近傍の周辺部２ａは、容器１を持つ場合に例えば親指を掛ける持ち指部２ｆとされ、比較的広い面積を有している。更に、傾斜部２ｄ、２ｅには上下方向に筋状に例えば２０〜４０本程度の凹凸部２ｇが形成されている。
【００１９】
容器１の内部の即席食品を湯戻しするために、蓋部２を係止部２ｂにより外し、熱湯を容器１内に注いでから再び蓋部２を嵌合係止すると、注がれた熱湯の熱と発生した湯気の熱により、容器１と蓋部２が熱せられる。このとき、湯気が蓋部２の屋根部２ｃ内の空間で対流を起こし、湯気Ｈは傾斜部２ｄ、２ｅの凹凸部２ｇに助長されて図２に示すように上昇する。
【００２０】
このとき、蓋部２の周辺部２ａと容器１の周縁部１ａとの間に間隙Ｇがあっても、その間隙Ｇは屋根部２ｃ内の空間に比べると小さいことから、湯気Ｈはこの隙間Ｇに流れ込むことは殆どなく、湯気Ｈは屋根部２ｃの傾斜部２ｄ、２ｅの凹凸部２ｇに導かれて上昇する。湯気Ｈによる熱は熱伝導により周辺部２ａの持ち指部２ｆにも伝熱するが、距離が離れているためこの伝熱は周辺部２ａからの放熱により緩和される。これにより、容器１の持ち指部２ｆに添えた指は極端な熱さを感ずることなく、安全に容器１を持つことができる。
【００２１】
傾斜部２ｄ、２ｅに設けた筋状の凹凸部２ｇは、対流に方向性を持たせるために、屋根部２ｃの天井に向かって流れるようにする形状が望ましい。凹凸部２ｇの大きさや長さについても、蓋部２を容器１の大きさ、注湯量、蓋の積み重ね性や、包装時の機械特性等により適宜に決定することが好ましい。
【００２２】
持ち指部２ｆの大きさ、つまり周辺部２ａの端位置から屋根部２ｃの傾斜部２ｄ、２ｅまでの持ち指部２ｆにおける距離については、蓋部２、容器１の大きさ、内容物の重量等を基に適宜決定される。ただし、指で持った際の安定性を考慮すると、持ち指部２ｆは指で持てる大きさで、かつ持った場合に撓むことがないように、幅１０〜２０ｍｍ程度であることが望ましい。
【００２３】
屋根部２ｃの形状については一例を示しているが、周辺部２ａと屋根部２ｃの頂部との段差は１０ｍｍ以上の高さを持つことが効果的である。また、周辺部２ａから直ちに立ち上がることが効果を高めるが、持ち指部２ｆがある周辺部２ａの近傍の傾斜部２ｅに凹凸部２ｇを多く設けるとより効果が得られる。
【００２４】
なお、容器１、蓋部２の形状についても、他の多角形であっても、円形であっても支障はない。
【実施例２】
【００２５】
図３は実施例２の斜視図を示し、容器１１に対する蓋部１２は実施例１の２つの傾斜部２ｄを省略されて１つの傾斜部１２ｄとされ、周辺部１２ａが拡げられ、屋根部１２ｃは略五角形とされている。そして、傾斜部１２ｄ、１２ｅには実施例１と同様に多数個の凹凸部１２ｇが設けられている。拡がった周辺部１２ａの平坦部に複数個の排湯孔１２ｈが形成されている。
【００２６】
この実施例２においても、湯気Ｈは凹凸部１２ｇに沿って屋根部１２ｃの傾斜部１２ｄ、１２ｅを上昇し、周辺部１２ａ、特に持ち指部１２ｆの温度上昇を緩和する。
【００２７】
このように、蓋部１２に排湯機能を持たせ、容器１と蓋部１２を傾けることで、排湯孔１２ｈから内部の熱湯を捨てる際に、持ち指部１２ｆの隙間部分に熱湯が入り込むことを防ぐためにも、持ち指部１２ｆを排湯孔１２ｈに近接することを避けることが好ましい。
【００２８】
このような容器１１に注湯した湯の排湯を目的とする蓋部１２において、排湯孔１２ｈの大きさ、数、形成方法などは、蓋部１２の大きさや材質などにより、適宜に決定される。
【図面の簡単な説明】
【００２９】
【図１】実施例１の容器に蓋部を嵌合した状態の斜視図である。
【図２】蓋部、容器内の湯気の挙動の説明図である。
【図３】実施例２の容器に蓋部を嵌合した状態の斜視図である。
【符号の説明】
【００３０】
１、１１  容器
１ａ  周縁部
２、１２  蓋部
２ａ、１２ａ  周辺部
２ｂ、１２ｂ  係止部
２ｃ、１２ｃ  屋根部
２ｄ、２ｅ、１２ｄ、１２ｅ  傾斜部
２ｆ、１２ｆ  持ち指部
２ｇ、１２ｇ  凹凸部
１２ｈ  排湯孔
【図１】
2007230588.tif 000003
【図２】
2007230588.tif 000004
【図３】
2007230588.tif 000005